(57)【要約】【課題】モデムを電力線に接続する作業の安全性及び作業効率を向上させることができる。【解決手段】低圧側となる二次側巻線に接続される電力線と、前記電力線に接続される通信機器が通信線から供給される情報信号を受信できるように前記情報信号を前記電力線に供給するモデムと、を電気的に結合する、柱上変圧器本体から露出する位置に形成されるコネクタ、を備える。【選択図】  図１
2012138696.tif 000002
【特許請求の範囲】
【請求項１】
低圧側となる二次側巻線に接続される電力線と、前記電力線に接続される通信機器が通信線から供給される情報信号を受信できるように前記情報信号を前記電力線に供給するモデムと、を電気的に結合する、柱上変圧器本体から露出する位置に形成されるコネクタ
を備えたことを特徴とする柱上変圧器。
【請求項２】
前記コネクタは、前記モデム側のコネクタが挿入される凹み形状を呈する
ことを特徴とする請求項１に記載の柱上変圧器。
【請求項３】
前記コネクタは、前記柱上変圧器本体の底面に形成される
ことを特徴とする請求項２に記載の柱上変圧器。
【請求項４】
前記コネクタは、前記柱上変圧器本体の側面に形成され、
前記コネクタが前記モデム側のコネクタと接続されるときに開くとともに、前記コネクタが前記モデム側のコネクタと接続されないときに閉じる扉、を備えたことを特徴とする請求項２に記載の柱上変圧器。
【発明の詳細な説明】
【技術分野】
【０００１】
本発明は、柱上変圧器に関する。
【背景技術】
【０００２】
電力線を用いて通信を行うシステムとして、例えば特許文献１に開示された電力線通信システムが知られている。
【０００３】
電力線通信システムは、親局、子局、親局側ＰＬＣモデム、子局側ＰＬＣモデム、電力線を含んで構成される。
【０００４】
電力線は、柱上変圧器の二次側巻線と例えば需要家の宅内に設けられた電力消費装置との間に接続される。親局側ＰＬＣモデムは例えば柱上変圧器の二次側巻線の近傍で電力線に接続される。子局側ＰＬＣモデムは、例えば需要家の宅内で電力線に接続される。親局は、通信ケーブルによって親局側ＰＬＣモデムに接続される。子局は、通信ケーブルによって子局側ＰＬＣモデムに接続される。親局と子局との通信は、親局側ＰＬＣモデム及び子局側ＰＬＣモデムが、柱上変圧器の二次側巻線から電力線に供給される電力信号に通信信号を重畳、又は当該電力信号から通信信号を分離することよってなされていた。
【先行技術文献】
【特許文献】
【０００５】
【特許文献１】特開２００８−２７１５０７号公報
【発明の概要】
【発明が解決しようとする課題】
【０００６】
特許文献１に開示される電力線通信システムでは、親局側ＰＬＣモデムを例えば柱上変圧器の二次側巻線の近傍で電力線に接続する必要があった。親局側ＰＬＣモデムを電力線に接続する作業は、人手に頼らざるを得ず、上記作業を行う作業者は、危険で煩雑な作業を強いられていた。
【課題を解決するための手段】
【０００７】
前述した課題を解決する主たる本発明は、低圧側となる二次側巻線に接続される電力線と、前記電力線に接続される通信機器が通信線から供給される情報信号を受信できるように前記情報信号を前記電力線に供給するモデムと、を電気的に結合する、柱上変圧器本体から露出する位置に形成されるコネクタを備えたことを特徴とする柱上変圧器である。
【０００８】
本発明の他の特徴については、添付図面及び本明細書の記載により明らかとなる。
【発明の効果】
【０００９】
本発明によれば、モデムを電力線に接続する作業の安全性及び作業効率を向上させることができる。
【図面の簡単な説明】
【００１０】
【図１】本発明の第１実施形態における柱上変圧器を示す図である。
【図２】本発明の第１実施形態におけるコネクタが接続された状態の柱上変圧器を示す図である。
【図３】本発明の第１実施形態における電力線通信設備の接続の詳細を示す図である。
【図４】本発明の第１実施形態における電力線通信設備を示す図である。
【図５】本発明の第１実施形態における一次側巻線及び二次側巻線を示す回路図である。
【図６】本発明の第２実施形態における扉が開いた状態の柱上変圧器を示す図である。
【図７】本発明の第２実施形態における扉が閉じた状態の柱上変圧器を示す図である。
【図８】本発明の第２実施形態におけるコネクタが接続された状態の柱上変圧器を示す図である。
【発明を実施するための形態】
【００１１】
本明細書および添付図面の記載により、少なくとも以下の事項が明らかとなる。
【００１２】
[第１実施形態]
＝＝＝電力線通信設備＝＝＝
図４は、本実施形態における電力線通信設備を示す図である。尚、配電線１１、高圧線１２、低圧線１３（電力線）、引込線１４、１５は、説明の便宜上夫々、一本の実線で示されている。
【００１３】
配電系統１は、配電線１１、変電所２を備えて構成される。  
変電所２は、配電用変圧器Ｔｒを含んで構成される。配電用変圧器Ｔｒの一次側巻線は送電線１０に接続され、配電用変圧器Ｔｒの二次側巻線は配電線１１に接続される。
【００１４】
配電線１１には、柱上変圧器３が接続される。柱上変圧器３は、高圧線１２から柱上変圧器３に電力が供給されることにより一次側巻線３７１に現れる電圧を二次側巻線３７２で降圧して、低圧線１３に電力を供給する装置である。尚、柱上変圧器３の詳細については後述する。柱上変圧器３は、一次側巻線３７１が高圧線１２によって配電線１１に接続される。ここで、説明の便宜上、柱上変圧器３は、二次側巻線３７２が低圧線１３によって例えば２つの需要家４、５に接続されるものとする。柱上変圧器３は、二次側巻線３７２が電線６２２によって親局側ＰＬＣ（Power Line Communication）モデム６２（モデム）に接続される。尚、二次側巻線３７２、親局側ＰＬＣモデム６２の詳細については後述する。ここで、通信装置６３は、親局側ＰＬＣモデム６２との間で通信できるように、例えば通信ネットワークＮ１を介して親局側ＰＬＣモデム６２に接続される。尚、通信装置６３の詳細については後述する。
【００１５】
需要家４は、低圧線１３に引込線１４によって接続される。需要家４は、子局側ＰＬＣモデム４２、負荷４４が設けられた例えば家屋である。尚、需要家４の詳細については後述する。  
需要家５は、低圧線１３に引込線１５によって接続される。尚、需要家５の構成は、需要家４の構成と同様であるので、需要家５の構成の説明は省略する。
【００１６】
＝＝＝需要家＝＝＝
以下、図３及び図４を参照して、本実施形態における需要家４について説明する。  
図３は、本実施形態における電力線通信設備の接続の詳細を示す図である。尚、図３は、需要家４、５への電力の供給が、例えば単相３線方式で行われる構成が示されている。図３における配電線１１ａ、１１ｂは、図４における配電線１１に相当する。図３における高圧線１２ａ、１２ｂは、図４における高圧線１２に相当する。図３における低圧線１３ａ、１３ｂ、１３ｃは、図４における低圧線１３に相当する。図３における引込線１４ａ、１４ｂ、１４ｃは、図４における引込線１４に相当する。図３における引込線１５ａ、１５ｂ、１５ｃは、図４における引込線１５に相当する。
【００１７】
需要家４は、子局側ＰＬＣモデム４２、負荷４４が設けられた例えば家屋である。需要家４は、引込口４０、分電盤４１、子局側ＰＬＣモデム４２、通信装置４３（通信機器）、負荷４４を含んで構成される。
【００１８】
引込口４０は、需要家４の例えば宅内に引込線１４ａ、１４ｂ、１４ｃを引込むために需要家４の例えば側壁における上側（＋Ｚ側）に設けられた電線引込口である。引込口４０は、引込線１４ａ、１４ｂ、１４ｃが夫々挿通される引込孔４０ａ、４０ｂ、４０ｃを有する。引込線１４ａ、１４ｂ、１４ｃは夫々、引込孔４０ａ、４０ｂ、４０ｃに挿通された状態で需要家４の宅内に引込まれて、分電盤４１に接続される。
【００１９】
分電盤４１は、低圧線１３から引込線１４を介して供給された電力を分岐する装置である。分電盤４１は、引込線１４によって低圧線１３に接続される。
【００２０】
負荷４４は、分電盤４１から供給される電力を消費する、例えばテレビや冷蔵庫等の家電製品である。負荷４４は、分電盤４１から電力が供給されるように、配線１４２によって分電盤４１に接続される。
【００２１】
通信装置４３は、例えば宅内に設けられたクライアントコンピュータである。通信装置４３は、子局側ＰＬＣモデム４２を介して通信装置６３と通信できるように例えば通信ケーブルＴ４（通信線）によって子局側ＰＬＣモデム４２に接続される。尚、通信装置４３と通信装置６３との通信の詳細については後述する。
【００２２】
子局側ＰＬＣモデム４２は、通信装置４３と通信装置６３との通信を中継するモデムであり、配線１４１によって分電盤４１に接続される。例えば、子局側ＰＬＣモデム４２は、通信装置４３から通信ケーブルＴ４を介して通信データを受信して、通信データを示す通信信号を配線１４１、分電盤４１、引込線１４を介して低圧線１３の電力に重畳させる。又、例えば、子局側ＰＬＣモデム４２は、低圧線１３の電力から通信信号を分離して、通信信号に示された通信データを通信ケーブルＴ４を介して通信装置４３に送信する。
【００２３】
＝＝＝親局側ＰＬＣモデム＝＝＝
以下、図４を参照して、本実施形態における親局側ＰＬＣモデム６２について説明する。  
親局側ＰＬＣモデム６２は、通信装置４３と通信装置６３との間の通信を例えば子局側ＰＬＣモデム４２とともに中継するモデムである。親局側ＰＬＣモデム６２は、電線６２２を介して二次側巻線３７２に接続される。尚、親局側ＰＬＣモデム６２と二次側巻線３７２との接続の詳細については後述する。
【００２４】
ここで、通信装置６３は、例えばネットワークサービス会社に設けられたサーバコンピュータである。通信装置６３は、親局側ＰＬＣモデム６２を介して通信装置４３と通信できるように例えば通信ネットワークＮ１を介して親局側ＰＬＣモデム６２に接続される。  親局側ＰＬＣモデム６２は、通信装置６３から通信ネットワークＮ１を介して通信データを受信して、通信データを示す通信信号を電線６２２を介して低圧線１３の電力に重畳させる。又、例えば、親局側ＰＬＣモデム６２は、低圧線１３の電力から通信信号を分離して、通信信号に示された通信データを通信ネットワークＮ１を介して通信装置６３に送信する。
【００２５】
＝＝＝電力線通信設備の接続＝＝＝
以下、図３を参照して、本実施形態における電力線通信設備の接続について説明する。  
電柱２は、柱上変圧器３を需要家４、５よりも例えば上側（＋Ｚ側）で支持する。電柱２は、配電線１１ａ、１１ｂから例えば２つの需要家４、５に電力が供給されるように、配電線１１ａ、１１ｂ夫々と、高圧線１２ａ、１２ｂとの間、及び低圧線１３ａ、１３ｂ、１３ｃ夫々と、引込線１４ａ、１４ｂ、１４ｃとの間、及び低圧線１３ａ、１３ｂ、１３ｃ夫々と、引込線１５ａ、１５ｂ、１５ｃとの間を中継する。
【００２６】
電柱２には、支持柱２１、２３、載置台２４、２５が設けられる。尚、電柱２の高さ、例えば需要家４、５の高さよりも高いものとする。
【００２７】
支持柱２３は、絶縁ブッシング２３ａ、２３ｂ、２３ｃが取り付けられる支持柱である。尚、絶縁ブッシング２３ａ、２３ｂ、２３ｃの詳細については後述する。支持柱２３は、長手方向が例えばＸ軸に沿った状態で、電柱２における需要家４、５の高さよりも例えば高い位置に取り付けられる。尚、支持柱２３は、支持柱２３の＋Ｘ側の端部が電柱２から例えば＋Ｘ方向に突出し、支持柱２３の−Ｘ側の端部が電柱２から例えば−Ｘ方向に突出するように電柱２に取りつけられるものとする。
【００２８】
絶縁ブッシング２３ａ、２３ｂ、２３ｃは、例えばテーパ形状の部材であり、支持柱２３の上側に取り付けられる。絶縁ブッシング２３ｃは、絶縁ブッシング２３ｃの小径側の先端が例えば上方向（＋Ｚ方向）に向かって突出するように、支持柱２３における例えば＋Ｘ側の位置に取り付けられる。絶縁ブッシング２３ｂは、絶縁ブッシング２３ｂの小径側の先端が例えば上方向に向かって突出するように、支持柱２３における絶縁ブッシング２３ｃが取り付けられる位置よりも例えば−Ｘ側の位置に取り付けられる。絶縁ブッシング２３ａは、絶縁ブッシング２３ａの小径側の先端が例えば上方向に向かって突出するように、支持柱２３における絶縁ブッシング２３ｂが取り付けられる位置よりも例えば−Ｘ側の位置に取り付けられる。絶縁ブッシング２３ａ、２３ｂ、２３ｃは夫々、絶縁ブッシング２３ａ、２３ｂ、２３ｃの先端で夫々、低圧線１３ａ、１３ｂ、１３ｃの一端夫々と引込線１４ａ、１４ｂ、１４ｃの一端夫々とが接続される位置を中継する。絶縁ブッシング２３ａ、２３ｂ、２３ｃは夫々、絶縁ブッシング２３ａ、２３ｂ、２３ｃの先端で夫々、低圧線１３ａ、１３ｂ、１３ｃの一端夫々と引込線１５ａ、１５ｂ、１５ｃの一端夫々とが接続される位置を中継する。
【００２９】
ここで、低圧線１３ａ、１３ｂ、１３ｃの他端は夫々、柱上変圧器３の二次側巻線３７２に接続されるように、絶縁ブッシング３４ａ、３４ｂ、３４ｃの先端に夫々取り付けられる。尚、絶縁ブッシング３４ｃは、図３には示されていないが、絶縁ブッシング３４ａに重なって見えない状態となっている。絶縁ブッシング３４ａ、３４ｂ、３４ｃの詳細については後述する。
【００３０】
支持柱２１は、絶縁ブッシング２１ａ、２１ｂが取り付けられる支持柱である。尚、絶縁ブッシング２１ａ、２１ｂの詳細については後述する。支持柱２１は、長手方向が例えばＸ軸に沿った状態で、電柱２における指示柱２３が取り付けられる位置よりも例えば高い位置に取り付けられる。支持柱２１は、支持柱２１の＋Ｘ側の端部が電柱２から例えば＋Ｘ方向に突出し、支持柱２１の−Ｘ側の端部が電柱２から例えば−Ｘ方向に突出するように電柱２に取りつけられるものとする。
【００３１】
絶縁ブッシング２１ａ、２１ｂは、例えばテーパ形状の部材であり、支持柱２１の上側に取り付けられる。絶縁ブッシング２１ｂは、絶縁ブッシング２１ｂの小径側の先端が例えば上方向に向かって突出するように、支持柱２１における例えば＋Ｘ側の位置に取り付けられる。絶縁ブッシング２１ａは、絶縁ブッシング２１ａの小径側の先端が例えば上方向に向かって突出するように、支持柱２１における絶縁ブッシング２１ａが取り付けられる位置よりも例えば−Ｘ側の位置に取り付けられる。絶縁ブッシング２１ａ、２１ｂは夫々、絶縁ブッシング２１ａ、２１ｂの先端で夫々、配電線１１ａ、１１ｂの一端夫々と高圧線１２ａ、１２ｂの一端夫々とが接続される位置を中継する。
【００３２】
ここで、高圧線１２ａ、１２ｂの他端は夫々、柱上変圧器３の一次側巻線３７１に接続されるように、絶縁ブッシング３３ａ、３３ｂの先端に夫々取り付けられる。尚、絶縁ブッシング３３ａ、３３ｂの詳細については後述する。
【００３３】
載置台２４は、親局側モデム２４を載置するための台である。載置台２４は、電柱２における支持柱２３が取り付けられる位置よりも例えば高く、且つ支持柱２１が取り付けられる位置よりも例えば低い位置から例えば−Ｘ方向に突出するように電柱２に取り付けられる。親局側ＰＬＣモデム６２は、載置台２４に載置される。
【００３４】
載置台２５は、柱上変圧器３を載置するための台である。載置台２５は、電柱２における載置台２４が取り付けられる位置と例えば同じ位置から例えば＋Ｘ方向に突出するように電柱２に取り付けられる。
【００３５】
柱上変圧器３は、載置台２５に載置される。柱上変圧器３は、例えば、柱上変圧器３の下側（−Ｚ側）の面におけるコネクタ６２３（モデム側のコネクタ）が接続される位置よりも−Ｘ側を載置されるものとする。尚、柱上変圧器３の下側の面におけるコネクタ６２３が接続される位置の詳細については後述する。柱上変圧器３は、載置台２５から転落しないように例えば２本の固定ベルト２６、２７によって電柱２に固定される。固定ベルト２６は、高さ方向（Ｚ軸方向）における柱上変圧器３の略中央よりも例えば上側の位置で柱上変圧器３と電柱２に巻かれる。固定ベルト２７は、高さ方向における柱上変圧器３の略中央よりも例えば下側の位置で柱上変圧器３と電柱２に巻かれる。
【００３６】
＝＝＝柱上変圧器＝＝＝
以下、図１乃至図４を参照して、本実施形態における柱上変圧器について説明する。  
図１は、本実施形態における柱上変圧器を示す図である。図２は、本実施形態におけるコネクタ６２３が接続された状態の柱上変圧器を示す図である。
【００３７】
柱上変圧器３は、高圧線１２から柱上変圧器３に電力が供給されることにより一次側巻線３７１に現れる電圧を二次側巻線３７２で降圧して、低圧線１３に電力を供給する装置である。
【００３８】
柱上変圧器３は、本体３１（柱上変圧器本体）、絶縁ブッシング３３ａ、３３ｂ、３４ａ、３４ｂ、３４ｃ、コネクタ３６を含んで構成される。
【００３９】
本体３１は、内部に一次側巻線３７１と二次側巻線３７２とを収容する筐体である。尚、一次側巻線３７１、二次側巻線３７２の詳細については後述する。本体３１は、例えば中心軸が高さ方向（Ｚ軸方向）に沿った略円柱形状を呈する。本体３１は、内部に一次側巻線３７１と二次側巻線３７２とを収容できる中空構造である。
【００４０】
絶縁ブッシング３３ａ、３３ｂは夫々、本体３１に収容された一次側巻線３７１に高圧線１２ａ、１２ｂの他端を夫々接続するための部材である。尚、一次側巻線３７１と高圧線１２ａ、１２ｂの他端との接続の詳細については後述する。絶縁ブッシング３３ａ、３３ｂは、例えばテーパ形状を呈する。絶縁ブッシング３３ａは、絶縁ブッシング３３ａの小径側の先端が本体３１の上側（＋Ｚ側）の面における例えば−Ｘ側から上方向（＋Ｚ方向）に向かって突出するように本体３１に取り付けられる。絶縁ブッシング３３ｂは、絶縁ブッシング３３ｂの先端が本体３１の上側の面における例えば絶縁ブッシング３３ａが取り付けられる位置よりも＋Ｘ側の位置から上方向に向かって突出するように本体３１に取り付けられる。
【００４１】
絶縁ブッシング３４ａ、３４ｂ、３４ｃは夫々、本体３１に収容された二次側巻線３７２に低圧線１３ａ、１３ｂ、１３ｃの他端を夫々接続するための部材である。尚、二次側３７２と低圧線１３ａ、１３ｂ、１３ｃの他端との接続の詳細については後述する。低圧線１３ａ、１３ｂ、１３ｃは、例えばテーパ形状を呈する。絶縁ブッシング３４ａ、３４ｂ、３４ｃは、絶縁ブッシング３４ａ、３４ｂ、３４ｃの小径側の先端が夫々、本体３１の側面における例えば＋Ｘ側から＋Ｘ方向の上側に向かって突出するように本体３１に取り付けられる。絶縁ブッシング３４ｂは、本体３１の側面における高さ方向の例えば略中央に取り付けられる。絶縁ブッシング３４ａは、本体３１の側面における、絶縁ブッシング３４ｂが取り付けられる位置よりも例えば−Ｘ側の上側に取り付けられる。絶縁ブッシング３４ｃは、本体３１の側面における、例えば絶縁ブッシング３４ａが取り付けられる位置と、本体３１の中心を通るＸＺ平面を基準に対称な位置に取り付けられる。
【００４２】
コネクタ３６は、親局側ＰＬＣモデム６２と二次側巻線３７２とを電気的に結合するためのコネクタである。コネクタ３６は、孔３５、コネクタ本体３６１、溝３６２、端子３６３ａ、３６３ｂ、３６３ｃを含んで構成される。孔３５は、コネクタ本体３６１を配設するために、本体３１における下側（−Ｚ側）の面（底面）のＸ方向の例えば略中央よりも＋Ｘ側に設けられる。尚、孔３５は、柱上変圧器３が載置台２５に載置された際に、本体３１の下側の面における本体３１と載置台２５とが接触する位置よりも例えば＋Ｘ側の位置に設けられているものとする。コネクタ本体３６１は、本体３１から露出するように孔３５に配設される。ここで、親局側ＰＬＣモデム６２は、電線６２２及びコネクタ６２３を介して二次側巻線３７２に接続される。コネクタ６２３とコネクタ３６とが嵌り合ったときに、電線６２２の一端は、二次側巻線３７２に電気的に接続される。尚、電線６２２の他端は、親局側ＰＬＣモデム６２に電気的に接続されているものとする。コネクタ本体３６１は、孔３５の中に配設される形状である。端子３６３ａ、３６３ｂ、３６３ｃは、孔３５に配設されたコネクタ本体３６１の下側に露出するようにコネクタ本体３６１に設けられる。端子３６３ａ、３６３ｂ、３６３ｃは、本体３１の内部で二次側巻線３７２に接続される端子である。端子３６３ａ、３６３ｂ、３６３ｃは夫々、コネクタ６２３とコネクタ３６とが嵌り合ったときに、コネクタ６２３の３つの端子（不図示）に接続される端子である。尚、コネクタ６２３には、コネクタ６２３がコネクタ３６と嵌り合ったときに端子３６３ａ、３６３ｂ、３６３ｃと夫々接触する３つの端子が、コネクタ３６と対向する面に設けられているものとする。コネクタ６２３の３つの端子は、電線６２２を介して親局側ＰＬＣモデム６２に接続されているものとする。尚、端子３６３ａ、３６３ｂ、３６３ｃと、二次側巻線３７２との接続の詳細については後述する。溝３６２は、コネクタ３６とコネクタ６２３とが嵌り合った際にコネクタ６２３がコネクタ３６から抜け落ちるのを防止するために、コネクタ６２３に設けられた留め具６２５をひっかけるための溝である。尚、溝３６２は、コネクタ本体３６１の例えば−Ｙ側の面に、Ｘ軸方向に沿って設けられるものとする。
【００４３】
＝＝＝一次側巻線、二次側巻線＝＝＝
以下、図１乃至図５を参照して、本実施形態における一次側巻線３７１、二次側巻線３７２について説明する。
【００４４】
図５は、本実施形態における一次側巻線及び二次側巻線を示す回路図である。  
柱上変圧器３は、一次側巻線３７１、二次側巻線３７２、ブロッキングフィルタ３７３、端子３７４ａ、３７４ｂ、３７５ａ、３７５ｂ、３７５ｃ、３６３ａ、３６３ｂ、３６３ｃを含んで構成される。
【００４５】
端子３７４ａは、高圧線１２ａにおける絶縁ブッシング２１ａに中継される一端とは反対側の他端が接続されるように例えば絶縁ブッシング３３ａの先端に設けられる端子である。端子３７４ｂは、高圧線１２ｂにおける絶縁ブッシング２１ｂに中継される一端とは反対側の他端が接続されるように例えば絶縁ブッシング３３ｂの先端に設けられる端子である。端子３７５ａは、低圧線１３ａにおける絶縁ブッシング２３ａに中継される一端とは反対側の他端が接続されるように例えば絶縁ブッシング３４ａの先端に設けられる端子である。端子３７５ｂは、低圧線１３ｂにおける絶縁ブッシング２３ｂに中継される一端とは反対側の他端が接続されるように例えば絶縁ブッシング３４ｂの先端に設けられる端子である。端子３７５ｃは、低圧線１３ｃにおける絶縁ブッシング２３ｃに中継される一端とは反対側の他端が接続されるように例えば絶縁ブッシング３４ｃの先端に設けられる端子である。
【００４６】
一次側巻線３７１には、高圧線１２ａ、１２ｂから電力が供給されることにより電圧が現れる。一次側巻線３７１は、例えば環状の鉄心（不図示）に巻回される。一次側巻線３７１の一端は、端子３７４ａに接続される。一次側巻線３７１の他端は、端子３７４ｂに接続される。
【００４７】
二次側巻線３７２は、一次側巻線３７１に現れる電圧（以下、一次側電圧という）を例えば一次側電圧よりも低い電圧（以下、二次側電圧という）に降圧する。その後、二次側巻線３７２は、電力を低圧線１３ａ、１３ｂ、１３ｃに供給する。二次側巻線３７２は、一次側電圧を二次側電圧に降圧するための巻線である。一次側電圧が現れる一次側巻線３７１では、一次側巻線３７１の両端に現れる一次側電圧により磁界が発生する。二次側巻線３７２の両端には、一次側巻線３７１で発生した磁界の電磁誘導によって、二次側電圧が現れる。二次側巻線３７２は、一次側巻線３７１が巻回された例えば環状の鉄心に巻回される。尚、一次側巻線３７１の一端に現れる電位が他端に現れる電位よりも例えば高い場合、二次側巻線３７２の一端３７２ａに現れる電位が他端３７２ｂに現れる電位よりも例えば高くなり、一次側巻線３７１の一端に現れる電位が他端に現れる電位よりも例えば低い場合、二次側巻線３７２の一端３７２ａに現れる電位が他端３７２ｂに現れる電位よりも例えば低くなるように、二次側巻線３７２は、一次側巻線３７１が巻回された例えば環状の鉄心に巻回されるものとする。二次側巻線３７２の巻数は、二次側電圧が一次側電圧よりも小さくなるように、一次側巻線３７１の巻数よりも少ない巻数であるものとする。二次側巻線３７２の一端３７２ａは、後述するリアクトルＬ１を介して、端子３７５ａに接続される。二次側巻線３７２の他端３７２ｂは、後述するリアクトルＬ２を介して、端子３７５ｃに接続される。二次側巻線３７２における二次側巻線３７２の両端の略中央３７２ｃからは、例えば二次側巻線３７２に現れる電圧を分圧するための引き出し線３７２ｄによって端子３７５ｂに接続される。
【００４８】
ブロッキングフィルタ３７３は、柱上変圧器３の二次側巻線３７２から一次側巻線３７１へ通信信号が例えば漏洩するのを防止する例えばローパスフィルタである。ブロッキングフィルタ３７３は、例えば２つのコンデンサＣ１、Ｃ２、例えば２つのリアクトルＬ１、Ｌ２を有する。コンデンサＣ１の一端は、二次側巻線３７２の一端３７２ａに接続され、コンデンサＣ１の他端は、引き出し線３７２ｄに接続される。コンデンサＣ２の一端は、引き出し線３７２ｄに接続され、コンデンサＣ２の他端は、二次側巻線３７２の他端３７２ｂに接続される。リアクトルＬ１の一端は、二次側巻線３７２の一端３７２ａに接続され、リアクトルＬ１の他端は、端子３７５ａに接続される。リアクトルＬ２の一端は、二次側巻線３７２の他端３７２ｂに接続され、リアクトルＬ２の他端は、端子３７５ｃに接続される。
【００４９】
端子３６３ａ、３６３ｂ、３６３ｃは、前述したようにコネクタ本体３６１に設けられた端子である。端子３６３ａは、端子３７５ａに接続される。端子３６３ｂは、端子３７５ｂに接続される。端子３６３ｃは、端子３７５ｃに接続される。
【００５０】
＝＝＝電力線通信設備の動作＝＝＝
以下、図１及び図４を参照して本実施形態における電力線通信設備の動作について説明する。
【００５１】
柱上変圧器３は、一次側巻線３７１に、配電線１１から高圧線１２を介して電力が供給される。柱上変圧器３は、一次側巻線３７１に電力が供給されることにより一次側巻線３７１に現れる電圧を、二次側巻線３７２で降圧する。その後、柱上変圧器３は、電力（以下、電力信号という）を、二次側巻線３７２から、低圧線１３、引込線１４を介して需要家４の分電盤４１に供給する。分電盤４１は、電力信号を分岐して、配線１４１、１４２を介して夫々、子局側ＰＬＣモデム４２、負荷４４に供給する。柱上変圧器３は、電力信号を、コネクタ３６、６２３、電線６２２を介して、親局側ＰＬＣモデム６２に供給する。尚、柱上変圧器３が需要家５に電力信号を供給する動作は、柱上変圧器３が需要家４に電力信号を供給する動作と同様であるので、その説明は省略する。
【００５２】
ここで、通信装置４３と通信装置６３とが通信する動作について、通信装置４３から通信装置６３へ通信データを送信する場合、通信装置６３から通信装置４３へ通信データを送信する場合に分けて説明する。尚、通信装置５３（通信機器）と通信装置６３とが通信する動作は、通信装置４３と通信装置６３とが通信する動作と同様であるので、通信装置４３と通信装置６３とが通信する動作について説明し、通信装置５３と通信装置６３とが通信する動作の説明は省略する。
【００５３】
＜通信装置４３から通信装置６３へ通信データを送信する場合＞
通信装置４３は、通信ケーブルＴ４を介して通信データを子局側ＰＬＣモデム４２に送信する。子局側ＰＬＣモデム４２は、通信装置４３から通信データを受信して、受信した通信データを示す通信信号を配線１４１の電力信号に重畳させる。配線１４１の電力信号に重畳された通信信号は、分電盤４１、引込線１４、低圧線１３、二次側巻線３７２、コネクタ３６、６２３、電線６２２を介して、親局側ＰＬＣモデム６２に供給される。親局側ＰＬＣモデム６２は、通信信号が重畳された電力信号から通信信号を分離して、通信信号に示された通信データを通信ネットワークＮ１を介して通信装置６３に送信する。
【００５４】
＜通信装置６３から通信装置４３へ通信データを送信する場合＞
通信装置６３は、通信ネットワークＮ１を介して通信データを親局側ＰＬＣモデム６２に送信する。親局側ＰＬＣモデム６２は、通信装置６３から通信データを受信して、受信した通信データを示す通信信号を電線６２２の電力信号に重畳させる。電線６２２の電力信号に重畳された通信信号は、コネクタ６２３、３６、二次側巻線３７２、低圧線１３、引込線１４、分電盤４１、配線１４１を介して、子局側ＰＬＣモデム４２に供給される。子局側ＰＬＣモデム４２は、通信信号が重畳された電力信号から通信信号を分離して、通信信号に示された通信データを通信ケーブルＴ４を介して通信装置４３に送信する。
【００５５】
前述したように、柱上変圧器３には、低圧線１３と親局側ＰＬＣモデム６２とを電気的に結合するコネクタ３６が柱上変圧器３の本体３１から露出する位置に形成される。よって、親局側ＰＬＣモデム６２に電線６２２を介して接続されたコネクタ６２３をコネクタ３６に接続することにより、親局側ＰＬＣモデム６２を低圧線１３に接続することができる。従って、親局側ＰＬＣモデム６２を低圧線１３に接続する作業の安全性及び作業効率を向上させることができる。
【００５６】
又、コネクタ３６は、本体３１の例えば下側の面に、コネクタ３６を配設するために設けられた孔３５に配設される。よって、コネクタ３６とコネクタ６２３との接触面が風雨にさらされて、コネクタ３６とコネクタ６２３とが接触不良となるのを防止できる。又、例えば、コネクタ３６とコネクタ６２３とを接続する作業を行う作業員は、高圧線１２ａ、１２ｂを接続するために本体３１の例えば上側に設けられた絶縁ブッシング３３ａ、３３ｂから離れた位置で当該作業を行うことができる。従って、親局側ＰＬＣモデム６２を低圧線１３に接続する作業の安全性及び作業効率を更に向上させることができる。
【００５７】
[第２実施形態]
＝＝＝柱上変圧器＝＝＝
図６は、本実施形態における扉７８が開いた状態の柱上変圧器を示す図である。尚、図１に示された構成と同じ構成については同じ番号を付すのみで、その説明は省略する。図７は、本実施形態における扉７８が閉じた状態の柱上変圧器を示す図である。尚、図１に示された構成と同じ構成については同じ番号を付すのみで、その説明は省略する。図８は、本実施形態におけるコネクタ６２３ａ（モデム側のコネクタ）が接続された状態の柱上変圧器を示す図である。尚、図２に示された構成と同じ構成については同じ番号を付すのみで、その説明は省略する。
【００５８】
柱上変圧器７は、本体３１（柱上変圧器本体）、絶縁ブッシング３３ａ、３３ｂ、３４ａ、３４ｂ、３４ｃ、コネクタ７６、扉７８を含んで構成される。
【００５９】
コネクタ７６は、親局側ＰＬＣモデム６２（モデム）と二次側巻線３７２とを電気的に結合するためのコネクタである。コネクタ７６は、孔７５、コネクタ本体７６１、端子７６３ａ、７６３ｂ、７６３ｃを含んで構成される。孔７５は、コネクタ本体７６１を配設するために、本体３１における例えば−Ｙ側の側面の下側（−Ｚ側）に設けられる。コネクタ本体７６１は、本体３１から露出するように孔７５に配設される。ここで、親局側ＰＬＣモデム６２は、電線６２２ａ及びコネクタ６２３ａを介して二次側巻線３７２に接続される。コネクタ６２３ａは、孔７５の内壁に沿って孔７５に挿入され、コネクタ７６と嵌り合う形状を呈するものとする。又、コネクタ６２３ａが孔７５に挿入された状態で、本体３１の外部から孔７５の内部に例えば水滴が入り込むのを防止するために、例えばゴムパッキン（不図示）が孔７５の縁に取り付けられているものとする。コネクタ６２３ａとコネクタ７６とが嵌り合ったときに、電線６２２ａの一端は、二次側巻線３７２に電気的に接続される。尚、電線６２２ａの他端は、親局側ＰＬＣモデム６２に電気的に接続されているものとする。コネクタ本体７６１は、孔７５の中に配設される形状である。端子７６３ａ、７６３ｂ、７６３ｃは、孔７５に配設されたコネクタ本体７６１の−Ｙ側に露出するようにコネクタ本体７６１に設けられる。端子７６３ａ、７６３ｂ、７６３ｃ、本体３１の内部で二次側巻線３７２に接続される端子である。端子７６３ａ、７６３ｂ、７６３ｃ、は夫々、コネクタ６２３ａとコネクタ７６とが嵌り合ったときに、コネクタ６２３ａの３つの端子（不図示）と夫々接続される端子である。尚、コネクタ６２３ａには、コネクタ６２３ａがコネクタ７６と嵌り合ったときに端子７６３ａ、７６３ｂ、７６３ｃと夫々接触する３つの端子が、コネクタ７６と対向する面に設けられているものとする。コネクタ６２３ａの３つの端子は、電線６２２ａを介して親局側ＰＬＣモデム６２に接続されているものとする。
【００６０】
扉７８は、コネクタ６２３ａがコネクタ７６に接続されていないときに孔７５を覆う扉である。ここで、扉７８を開閉するための例えば２本のレール７９ａ、７９ｂが、本体３１の側面に沿って設けられる。レール７９ａは、本体３１における孔７５が設けられた位置の＋Ｘ側の近傍から＋Ｘ方向に向けて本体３１の側面に設けられる。レール７９ｂは、レール７９ａと略平行となるように、本体３１におけるレール７９ａが設けられる位置の例えば下側（−Ｚ側）に設けられる。レール７９ａ、７９ｂは、レール７９ａ、７９ｂに沿って扉７８が開閉できる長さであるものとする。扉７８は、レール７９ａ、７９ｂに沿って開閉するように、扉７８の裏側（＋Ｙ側）の面に設けられたレール溝７８ａ、７８ｂが夫々、レール７９ａ、７９ｂに取り付けられる。扉７８には、取手７８２、錠前取り付け具７７ｂが設けられる。取手７８２は、扉７８を開閉させるための持ち手である。取手７８２は、扉７８の表側（−Ｙ側）の面に例えば高さ方向（Ｚ方向）に沿って設けられる。錠前取り付け具７７ｂは、扉７８を閉じたときに、例えば本体３１における孔７５が設けられた位置の−Ｘ側の近傍に設けられた錠前取り付け具７７ａに隣接するように扉７８の表側の面に設けられる。扉７８が閉じたときに隣接する錠前取り付け具７７ａ、７７ｂには、錠前７７ｃが取り付けられる。尚、錠前７７ｃは、扉７８に鍵をかけるための例えば南京錠である。
【００６１】
よって、例えば、コネクタ７６とコネクタ６２３ａとが接続される場合、錠前７７ｃが錠前取り付け具７７ａ、７７ｂから取り外される。扉７８は、レール７９ａ、７９ｂに沿って開かれる。コネクタ６２３ａがコネクタ７６に接続されるように、コネクタ６２３ａが孔７５に挿入される。一方、例えば、コネクタ７６とコネクタ６２３ａとを接続しない場合、コネクタ６２３ａが孔７５から取り外される。扉７８は、レール７９ａ、７９ｂに沿って閉じられる。錠前７７ｃが錠前取り付け具７７ａ、７７ｂに取り付けられる。
【００６２】
前述したように、柱上変圧器７には、低圧線１３と親局側ＰＬＣモデム６２とを電気的に結合するコネクタ７６が柱上変圧器７の本体３１から露出する位置に形成される。よって、親局側ＰＬＣモデム６２に電線６２２ａを介して接続されたコネクタ６２３ａをコネクタ７６に接続することにより、親局側ＰＬＣモデム６２を低圧線１３に接続することができる。従って、親局側ＰＬＣモデム６２を低圧線１３に接続する作業の安全性及び作業効率を向上させることができる。
【００６３】
又、コネクタ７６は、本体３１の例えば側面の下側に、コネクタ７６を配設するために設けられた孔７５に配設される。孔７５には、孔７５を覆う扉７８が設けられる。コネクタ７６とコネクタ６２３ａとが接続される場合、扉７８は開かれる。コネクタ７６とコネクタ６２３ａとが接続さない場合、扉７８は閉じられる。よって、コネクタ７６が風雨にさらされてコネクタ７６とコネクタ６２３ａとが接触不良となるのを防止できる。従って、親局側ＰＬＣモデム６２を低圧線１３に接続する作業の安全性及び作業効率を更に向上することができる。
【００６４】
又、扉７８が閉じたときに、錠前７７ｃが錠前取り付け具７７ａ、７７ｂに取り付けられる。よって、扉７８に鍵をかけることができる。従って、例えば電力の供給元に無断で、コネクタ７６を介して電力が消費されるのを防止できる。
【００６５】
尚、第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６６】
第１実施形態においては、コネクタ３６にコネクタ６２３が接続される場合について説明したが、これに限定されるものではない。例えば、緊急災害時に、コネクタ６２３をコネクタ３６から取り外して、例えば需要家４の宅内に設けられた負荷４４に負荷４４が動作する電力を供給する電力の供給元として、コネクタ３６を利用することができる。
【符号の説明】
【００６７】
１    配電系統
２    変電所
３、７    柱上変圧器
４、５    需要家
１１、１１ａ、１１ｂ  配電線
１２、１２ａ、１２ｂ  高圧線
１３、１３ａ、１３ｂ、１３ｃ  低圧線
１４、１４ａ、１４ｂ、１４ｃ、１５、１５ａ、１５ｂ、１５ｃ  引込線
３１    本体
３６、７６、６２３、６２３ａ  コネクタ
４２、５２  子局側ＰＬＣモデム
４３、５３、６３  通信装置
６２    親局側ＰＬＣモデム
７８    扉
【図１】
2012138696.tif 000003
【図２】
2012138696.tif 000004
【図３】
2012138696.tif 000005
【図４】
2012138696.tif 000006
【図５】
2012138696.tif 000007
【図６】
2012138696.tif 000008
【図７】
2012138696.tif 000009
【図８】
2012138696.tif 000010